(57)【要約】【課題】  複数個のオンタイマー設定が行えるオンタイマー装置を提供する。【解決手段】  複数個のオンタイマー設定プログラムを蓄積できるメモリー、オンタイマー設定プログラムの項目を入力する手段、メモリー手段に蓄積した複数のオンタイマー設定プログラムのうち設定時間が到来したとき、到来したオンタイマー設定プログラムのひとつを実行する実行処理手段を有するオンタイマー装置。【選択図】  図１
2005260351.tif 000002
【特許請求の範囲】
【請求項１】
オンタイマー設定プログラムの項目を入力する手段、複数のオンタイマー設定プログラムを蓄積できるメモリー手段、時計処理手段、時計処理手段からの時計データと当該オンタイマー設定プログラムの項目の時間データを比較する比較処理手段、メモリー手段に蓄積したオンタイマー設定プログラムを当該比較処理手段に印加する設定処理手段、および比較処理手段の比較結果に応答して選択された複数のオンタイマー設定プログラムのひとつを実行する実行処理手段からなるオンタイマー装置。
【請求項２】
優先順位の項目を含むオンタイマー設定プログラムの項目を入力する手段、複数のオンタイマー設定プログラムを蓄積できるメモリー手段、時計処理手段、時計処理手段からの時計データと当該オンタイマー設定プログラムの項目の時間データを比較する比較処理手段、メモリー手段に蓄積したオンタイマー設定プログラムを当該比較処理手段に印加する設定処理手段、および比較処理手段の比較結果に応答して選択された複数のオンタイマー設定プログラムのうち、優先順位の項目が高い値を持つひとつまたは複数個のオンタイマー設定プログラムを実行する実行処理手段からなるオンタイマー装置。
【発明の詳細な説明】
【技術分野】
【０００１】
この発明は、テレビなどのＡＶ機器のオンタイマー装置に関する。
【背景技術】
【０００２】
ＡＶ機器、たとえば、テレビ受像機のオンタイマー機能は、設定した時刻に自動的に電源をいれることができるので、見たい番組を忘れていても聴取できるという有用性を持つ。また、ＡＶ機器、たとえば、テレビ受像機をアラームとして用いる事も、このオンタイマー機能によって、できるという有用性を持つ。
【０００３】
しかし、ＡＶ機器、特に、テレビ受像機のユーザーは、たとえば、金曜日には、ひと時に、土曜日と日曜日の聴取したい番組を聴取するために、複数のオンタイマーで設定したい場合があった。その場合、もっとも設定時に近いオンタイマーの設定をひとつ行って、聴取したい以降の他の番組のために他のオンタイマー設定を、ユーザーは自分で覚えておかねばならかった。
【０００４】
また、オンタイマー設定をひとつしか設定できなかったので、オンタイマー設定を行うたびごとに、その設定項目をすべて、入力しなおさなければならないというユーザー操作の煩雑さがあった。
【０００５】
特許文献１により、オンタイマー設定のために、文字放送信号からテレビ番組表を抽出したデータにより、オンタイマー設定を実行するための操作の煩わしさを軽減するものが提案されている。
【０００６】
【特許文献１】特開平５−２８４４７８号公報
【発明の開示】
【発明が解決しようとする課題】
【０００７】
しかし、特許文献１による提案は、文字放送受信機が必要であり、文字放送受信ができないＡＶ機器、テレビ受像機では、これを実現できないので、上述の不都合はなくならない。
【０００８】
この発明は、上述の不都合をなくするために、ＡＶ機器、特にテレビ受像機のための複数のオンタイマー設定がおこなえるオンタイマー装置を提供することを課題とする。
【課題を解決するための手段】
【０００９】
この課題は、この発明によると、オンタイマー設定プログラムの項目を入力する手段、複数のオンタイマー設定プログラムを蓄積できるメモリー手段、時計処理手段、時計処理手段からの時計データと当該オンタイマー設定プログラムの項目の時間データを比較する比較処理手段、メモリー手段に蓄積したオンタイマー設定プログラムを当該比較処理手段に印加する設定処理手段、および比較処理手段の比較結果に応答して選択された複数のオンタイマー設定プログラムのひとつを実行する実行処理手段からなるオンタイマー装置によって達成される。
【００１０】
さらにこの発明によると、プログラムの優先順位の項目を含むオンタイマー設定プログラムの項目を入力する手段、複数のオンタイマー設定プログラムを蓄積できるメモリー手段、時計処理手段、時計処理手段からの時計データと当該オンタイマー設定プログラムの項目の時間データを比較する比較処理手段、メモリー手段に蓄積したオンタイマー設定プログラムを当該比較処理手段に印加する設定処理手段、および比較処理手段の比較結果に応答して選択された複数のオンタイマー設定プログラムのうち、優先順位の項目が高い値を持つひとつまたは複数個のオンタイマー設定プログラムを実行する実行処理手段からなるオンタイマー装置によってこの課題は解決される。
【発明を実施するための最良の形態】
【００１１】
この発明をテレビ受像機に実施した態様を添付の図を参照しながら説明する。図1はこの発明の実施例を示すブロック図である。このオンタイマー装置は、概して、表示部３０と、複数のオンタイマー設定プログラムを蓄積するためのメモリー１０と、マイクロコンピューター７０と、データ入力部５０からなる。データ入力部５０は、この実施例では、リモートコントロール送信機５１とリモートコントロール受光部５２と当該マイクロコンピューター７０に含まれるキー信号処理部５３とからなる。当該マイクロコンピューターは、制御部７１、これにより制御される、時計処理部７５、比較処理部７６、設定処理部７７、および実行処理部７８を有して、これにより、この入力部５０から入力されるオンタイマー設定プログラム項目データを取り扱う手段を実現している。当該マイクロコンピューターは、また、表示処理部７２を有し、オンタイマー設定プログラムデータをユーザーが入力するための画面表示を表示部３０行うようにしている。さらに、マイクロコンピューターは当該メモリー１０にアクセスして、このように入力したオンタイマー設定プログラムデータを入力し出力する。
【００１２】
このマイクロコンピューターの各部の機能を、画面表示を示す図２ないし図５を参照しながら説明する。図２の画面表示において、ユーザーがデータ入力部で操作して、オンタイマー設定を選択する。図３には、オンタイマー設定項目入力を行う画面が示されている。この例では、電源オンとする日付、および曜日、時刻、チャンネル、および後に詳説する優先度の入力欄が表示される。入力装置の操作によって、ユーザーは、オンタイマー設定のこれらの項目を対応する欄に入力できる。図示では、日付は13日、土曜日、時刻は11時ＡＭ，開始チャンネルは８チャンネル、優先度はＢが入力されている。
【００１３】
上記の図２でオンタイマー設定を選択したとき、すでに先にオンタイマー設定プログラムが入力されている場合は、図４のような入力済みの各プログラムの一覧表が表示される。この実施例では、設定プログラムは最大8個まで入力蓄積できる。
【００１４】
ユーザーは、カーソルを空行に合わせて、エンターボタンを押せば、項目が空で表示されたオンタイマー設定項目入力画面（図３）が表示される。また、入力済みのプログラムが表示されている行にカーソルを合わせて、エンターボタンを押せば、そのプログラムの項目が表示されたオンタイマー設定項目入力画面が表示される。この場合は、すでに入力された項目のうち、変更したい項目だけを変更することによって、新たなオンタイマー設定プログラムを入力できる。このように入力済みの項目を利用して新たなプログラムの項目入力を行えるので、オンタイマー設定プログラムの入力が簡略される利点がある。
【００１５】
図３のオンタイマー設定項目入力画面で、いずれにしろ、項目を入力して、たとえば、エンターキーを押して確定する。図４の一覧表画面で空行を選択して、図３の入力画面で項目入力をして、確定すると、一覧表画面に戻り、今、項目を入力したオンタイマー設定プログラムが図５に示されるように、表示される。
【００１６】
制御部７１はこのようにして入力部５０からメモリー１０に複数のオンタイマー設定プログラムを蓄積することができる。
【００１７】
制御部７１はメモリー１０に蓄積されていたオンタイマー設定プログラムの日付データに基づき、当該プログラムの時刻データを、設定処理部７７から比較処理部７６に印加して、比較処理部７６で、時計処理部７５かからの時刻データと比較させて、そのプログラムの実行時間が到来しているか否かを判断する。実行時間が到来しているとき、そのオンタイマーの設定プログラムが実行処理部７８に引き渡されて、そのプログラムが実行される。すなわち、そのプログラムに基づいて、この実施例でテレビ受像機の電源がオンとなり、指定されたチャンネルが受信される。
【００１８】
上述したように設定プログラムは最大8個まで入力蓄積できるようにするが、この実施例では、望ましくは、オンタイマーの設定は、時刻のみならず、日付の設定も行えるように制御部７１を構成する。また、この日付の設定は、月の日のみならず、週日でも行えるようにする。
【００１９】
時間だけではなく、日付または週日でも、オンタイマー設定を行うことができる。また、二つ以上の設定プログラムを入力できるので、たとえば、月曜日から金曜日まで毎日の指定でプログラムが入力されていると、当日は一回だけの設定のプログラムを入力し、そのプログラムでオンタイマーによる電源投入を実行したのち、次の日からの毎日のプログラムに変更するという手間がなくなるという利点がある。すなわち、オンタイマー設定プログラムをこのように複数個入力できるので、たとえば、金曜日に、土曜日と日曜日のオンタイマー設定プログラムを複数個入力することによりオンタイマーによる電源投入を前もっていわばパターン化できる。
【００２０】
また、さらに、プログラムの優先度を設定できるようにする。この優先度は、あるプログラムが他のプログラムが持つ項目とオンタイマー時間が重複する場合、どのオンタイマー設定プログラムを優先して実行するかを決定するために提供されるもので、望ましくは、3段階の優先順位とする。たとえば、Ａ，Ｂ，およびＣと優先度が高い値を持つようにする。
【００２１】
図６を参照すると、制御部７１によって行われる、優先度に基づく、複数設定プログラムの実行手順が示されている。制御部７１は、比較処理部７６によって、特定設定プログラムによるオンタイマー時刻が到来したことが検出される（Ｓ１００）とき、その設定プログラムが複数存在するか否かを検出する工程Ｓ１１０が実行される。複数検出しない場合、そのひとつの設定プログラムの実行の工程Ｓ１２０が行われる。これに対して、その設定プログラムが複数存在する場合、優先度がそれらのプログラムに設定されているか否かを検出する工程Ｓ２１０に移る。優先度があることが検出される場合、一番優先順位が高い設定プログラムの実行の工程Ｓ３００が遂行される。一番優先度が高い設定プログラムが複数個ある場合はどちらも実行可能であるため、同じ日の設定であれば設定時間の早いプログラムから実行し、日付、時間が同じである場合は設定番号の小さい方のプログラムを実行する。また、優先度が検出されない場合は、設定プログラムの設定番号の小さい方のプログラムを実行する工程Ｓ２２０が遂行される。すなわち、複数個のプログラムのオンタイマー時刻が到来すると、優先度が高いプログラム、または、早期に入力したプログラムが実行される。
【図面の簡単な説明】
【００２２】
【図１】この発明の実施例のオンタイマー装置を示すブロック図である。
【図２】オンタイマー装置のオンタイマー設定選択画面を示す。
【図３】オンタイマー装置のオンタイマー設定項目入力画面を示す。
【図４】オンタイマー装置のオンタイマープログラム一覧表画面を示す。
【図５】オンタイマー装置のオンタイマープログラムの他の一覧表画面を示す。
【図６】優先度に基づく、複数設定プログラムの実行手順を示すフローチャートである。
【符号の説明】
【００２３】
３０  表示部
１０  メモリー
７０  マイクロコンピューター７０
５０  データ入力部
７１  制御部
【図１】
2005260351.tif 000003
【図２】
2005260351.tif 000004
【図３】
2005260351.tif 000005
【図４】
2005260351.tif 000006
【図５】
2005260351.tif 000007
【図６】
2005260351.tif 000008